(57)【特許請求の範囲】
【請求項１】
所定の表紙体に取り付けられるベースと、このベースに離間接近可能に設けられるとともに、常時は、前記ベースから離れる方向に保たれる押え部材と、ベースに支持されて前記押え部材の外面側に位置する操作部材とを備えた綴じ具において、
前記操作部材は、前記ベースに回転可能に支持されたレバー部材と、このレバー部材の回転中心軸から所定距離離れた位置に設けられて前記回転中心軸と略平行な方向に延びるローラとを含み、
前記ローラは前記押え部材の一部に接して当該押え部材をベース側に押圧可能に設けられ、前記ローラが所定の中立位置を越える位置まで前記レバー部材が倒伏されたときに、前記押え部材をベース面上に押圧する一方、前記中立位置を越えない位置とされたときに、前記押え部材とベース面との間に紙葉類を差し込む空間を形成し、
前記押え部材は、前記ローラにより押圧される舌片を一体的に備え、この舌片は、ベースに対する押え部材の離間距離を調整可能に設けられていることを特徴とする綴じ具。
【請求項２】
前記押え部材及びベースを略水平姿勢とし、且つ、相互に略平行となる位置としたときに、前記ローラは、押え部材がベース面上を押圧する状態で、前記回転中心軸の垂直直下位置を僅かに越えてレバー部材の倒伏姿勢を保つことを特徴とする請求項１記載の綴じ具。
【請求項３】
前記舌片は、押え部材の一部を折り返して形成されていることを特徴とする請求項１又は２記載の綴じ具。
【請求項４】
前記舌片の上面側には、ローラに接して転がり方向に延びる突条部が設けられていることを特徴とする請求項１，２又は３記載の綴じ具。
【請求項５】
前記レバー部材は、当該レバー部材を倒伏姿勢としたときに、前記押え部材の端部よりはみ出る長さに設けられていることを特徴とする請求項１，２，３又は４記載の綴じ具。
【発明の詳細な説明】
【０００１】
【発明の属する技術分野】
本発明は、綴じ具に係り、更に詳しくは、操作部材を回転操作することにより、ベースと押え部材との間に紙葉類を挟み込むことができる綴じ具に関する。
【０００２】
【従来の技術】
従来より、所定の表紙体に取り付けられるとともに、複数枚の紙葉類の一端側を挟み込むことができる綴じ具が広く利用されるに至っている。この種の綴じ具としては、例えば、図６に示されるタイプの綴じ具５０が存在する。
【０００３】
前記綴じ具５０は、所定の表紙体５１に取り付けられるベース５２と、このベース５２の図中左端側に連なる起立面部５３と、前記ベース５２との間に紙葉類Ｐを挟み込み可能に設けられた板状の押え部材５５と、前記起立面部５３に回転可能に支持されるレバー部材５６と、このレバー部材５６にコイル状のばね部材５７を介して押え部材５５を連結する軸状の連結部材５８とを備えて構成されている。レバー部材５６は、その先端側を指で回転操作することによりベース５２に対して押え部材５５を離間接近させることが可能に設けられている。また、前記レバー部材５６の起立面部５３側には、アングル状に形成された爪部材６０が設けられている一方、起立面部５３には、爪部材６０を受容可能な穴６１が形成されており、当該穴６１に爪部材６０を引っ掛かけることによりレバー部材５６の起立方向への移動を規制し、押え部材５５による紙葉類Ｐの挟み込み状態を保持するようになっている。
【０００４】
【発明が解決しようとする課題】
しかしながら、このような綴じ具５０の構成にあっては、紙葉類Ｐの挟み込み及びその解除作業を行う場合、レバー部材５６を倒伏させる方向と爪部材６０を穴６１に出し入れする方向、すなわち、直交する二方向の力を同時に付与しなければならない。これにより、レバー部材５６の操作方向が二方向となって前記作業が煩雑になるばかりでなく、レバー部材５６を倒伏する際のばね部材５７の反発力が指先に強く付与されることとなり、低学年児が使用する場合の負担が重くなるという不都合を招来する。
【０００５】
【発明の目的】
本発明は、このような不都合に着目して案出されたものであり、その目的は、操作部材を回転操作することにより、ベースと押え部材との間における紙葉類の挟み込み及びその解除作業を少ない負担で容易に行うことができる綴じ具を提供することにある。
【０００６】
【課題を解決するための手段】
前記目的を達成するため、本発明は、所定の表紙体に取り付けられるベースと、このベースに離間接近可能に設けられるとともに、常時は、前記ベースから離れる方向に保たれる押え部材と、ベースに支持されて前記押え部材の外面側に位置する操作部材とを備えた綴じ具において、
前記操作部材は、前記ベースに回転可能に支持されたレバー部材と、このレバー部材の回転中心軸から所定距離離れた位置に設けられて前記回転中心軸と略平行な方向に延びるローラとを含み、
前記ローラは前記押え部材の一部に接して当該押え部材をベース側に押圧可能に設けられ、前記ローラが所定の中立位置を越える位置まで前記レバー部材が倒伏されたときに、前記押え部材をベース面上に押圧する一方、前記中立位置を越えない位置とされたときに、前記押え部材とベース面との間に紙葉類を差し込む空間を形成し、
前記押え部材は、前記ローラにより押圧される舌片を一体的に備え、この舌片は、ベースに対する押え部材の離間距離を調整可能に設けられる、という構成が採用されている。このような構成によれば、操作部材を回転操作して中立位置を通過させることにより、紙葉類の挟み込みとその解除作業を行うことができ、従来例のように二方向への力を付与することなく回転方向の操作だけで容易に前記作業を行うことが可能となる。また、挟み込まれる紙葉類全体の厚さに係わることなく、押え部材の前記紙葉類に対する押圧力を安定的に保つことができる。
【０００７】
【発明の実施の形態】
本発明における前記押え部材及びベースを略水平姿勢とし、且つ、相互に略平行となる位置としたときに、前記ローラは、押え部材がベース面上を押圧する状態で、前記回転中心軸の垂直直下位置を僅かに越えてレバー部材の倒伏姿勢を保つように構成するとよい。このような構成を採れば、押え部材が紙葉類を挟み込んだ状態において、押え部材がベースに対して離間する方向に作用する力、すなわち、押え部材がローラを持ち上げる力をレバー部材が倒伏する方向の回転力に変換することができ、押え部材の挟み込み姿勢を安定的に維持することが可能となる。
【０００９】
更に、前記舌片は、押え部材の一部を折り返して形成されるとよい。これによれば、綴じ具全体を薄くすることができ、且つ、紙葉類に対する挟み込み力を増大させることが可能となる。
【００１０】
また、前記舌片の上面側には、ローラに接して転がり方向に延びる突条部が設けられる、という構成も好ましくは採用される。このような構成によれば、ローラの転がり抵抗が低減することにより操作部材を回転させる力が軽減され、挟み込み作業をスムースに行うことができるばかりでなく、舌片の剛性を増大させることも可能となる。
【００１１】
更に、前記レバー部材は、当該レバー部材を倒伏姿勢としたときに、前記押え部材の端部よりはみ出る長さに設けられるとよい。これによれば、レバー部材を操作する際に、当該レバー部材を指で掴み易くなるばかりでなく、支点となる操作部材の回転中心から力点となる操作部材の先端までの距離が長くなり、この点からも、操作部材の回転力を軽減することが可能となる。
【００１２】
なお、本明細書において、「中立位置」とは、ローラが押え部材に接した特定点に位置した状態であって、レバーに回転操作力を付与しないとした場合に当該レバーが、ばねの反発力によって何れの方向に回転するかが特定されない位置を意味し、また、「中立位置を越える」とは、前記押え部材がベース面に対して接近する方向に対応してローラが位置することを意味する。従って、「中立位置を越えない」とは、押え部材がベース面から離間する方向に対応してローラが位置することとなる。
【００１３】
また、本明細書における方向若しくは位置的用語は、特に明示しない限り、図４を基準として用いるものとし、図４中左右方向を短寸幅方向とするとともに、紙面直交方向を長手方向とする。
【００１４】
【実施例】
以下、本発明の実施例を図面を参照しながら説明する。
【００１５】
図１には、本発明の綴じ具がファイルに適用された実施例の概略斜視図が示され、図２には、前記綴じ具の分解斜視図が示されている。また、図３には、前記綴じ具が紙葉類を挟み込んだ状態の概略斜視図が示されている。これらの図において、ファイル１０は、背表紙１１の左右両側に屈曲可能に連なる表表紙１２及び裏表紙１３からなる表紙体１５と、裏表紙１３における背表紙１１寄りの内面側に装着された綴じ具１７とを備えて構成されている。
【００１６】
前記綴じ具１７は、特に限定されるものでないが、本実施例では、全体として、ステンレス等の金属材を用いて構成されている。綴じ具１７は、図２に示されるように、リベット１８を用いて裏表紙１３に固定されるベース１９と、このベース１９の上面側に配置される押え部材としての綴じ板２１と、前記ベース１９を平面視コ字状に切り込んで上向きのばね力を発揮するように切り起こされた一対のばね部材２２と、綴じ板２１の外面（上面）側に設けられた操作部材２３とを備えて構成されている。
【００１７】
前記ベース１９は、図２及び図４に示されるように、長手方向に延びる平面視略凸状の水平面部２５と、この水平面部２５の中央領域から起立するとともに、上端側が綴じ板２１を貫通して当該綴じ板２１の外面（上面）側に突き出るように設けられた起立面部２６と、水平面部２５の図４（Ａ）中左端側に設けられるとともに、綴じ板２１の同図中左端側を部分的に受容可能に設けられた一対の受け部２７と、水平面部２５の長手方向両側から起立するとともに、挟み込まれる複数枚の紙葉類Ｐの端縁に沿う面形状を有する一対の紙揃え部２８とを備えて構成されている。また、水平面部２５において、前記受け部２７と紙揃え部２８との間、及び、前記起立面部２６の隣接位置には、リベット１８を挿入可能な取付穴３０がそれぞれ設けられている一方、起立面部２６の上部中央には、操作部材２３を回転可能に支持するための支持穴３１が設けられている。
【００１８】
前記綴じ板２１は、平面視略長方形状に設けられるとともに、短寸幅方向の中央部位置にて僅かに曲げ加工された板状部材３２と、この板状部材３２の図４（Ａ）中左端側中央部を基部として連なるとともに、先端側が板状部材３２の内方に延びて当該板状部材３２の上面側に位置するように曲げ加工された舌片３４とを備えて構成されている。板状部材３２における舌片３４の下方領域には、当該舌片３４の先端側と起立面部２６とを受容可能な大きさに設けられた角穴３５が形成されている。この角穴３５の外周側には、当該外周に沿うように形成された補強用突条部３６が設けられており、これにより、板状部材３２の角穴３５周辺におけるねじり変形が防止されるようになっている。板状部材３２の左端長手方向二箇所には、前記受け部２７の上部に形成された下向き円弧状フック２７Ａを受容する一対のスリットからなる受容穴３８が形成されている。これにより、受け部２７及び受容穴３８は、ヒンジに近似した構成となり綴じ板２１の右端部領域がベース１９に対して大きく離間接近できるようになっている。また、板状部材３２の中央部長手方向両側には、前記各紙揃え部２８の上端側が挿入されるスリット穴３９が設けられており、綴じ板２１の離間接近移動の際に、紙揃え部２８が綴じ板２１に干渉せず、また、綴じ板２１の離間接近移動軌跡を規則的に保つようになっている。
【００１９】
前記舌片３４は、操作部材２３を操作することにより、図４（Ａ）に示される位置から図４（Ｂ）に示される位置まで先端側がおじぎするように弾性変形可能に設けられている。また、舌片３４の先端側には、後述するローラの転がり方向に延びる断面視半円弧状の突条部４１が形成されている。
【００２０】
前記ベース１９の領域内に位置する各ばね部材２２は、水平面部２５をプレス加工して切り起こすように設けられた片持ち板ばね構造をなし、図４（Ａ）中右上方向に傾倒する方向に向けられている。ばね部材２２の基端側は、図２に示されるように、幅狭形状となって折り曲げ加工され、弾力性を有するようになっている。従って、ばね部材２２は、常時は、図４（Ａ）に示されるように、ベース１９と綴じ板２１との間に差し込み空間Ｓを形成するように当該綴じ板２１を持ち上げ、紙葉類Ｐの挟み込み時においては、図４（Ｂ）に示されるように、綴じ板２１に押圧されて倒伏するようになっている。
【００２１】
前記操作部材２３は、図４（Ａ）及び図５（Ａ）に示されるように、起立面部２６にリベット４２を用いて回転可能に支持されたレバー部材４３と、このレバー部材４３の回転中心軸Ｃ１、すなわち、リベット４２の中心軸と略平行な方向に延びるローラ４４とを備えて構成されている。従って、操作部材２３は、回転中心軸Ｃ１が支点、レバー部材４３が力点、ローラ４４が作用点となって綴じ板２１に対して押圧力を付与することとなる。また、レバー部材４３は、綴じ板２１上に横たわる倒伏姿勢とされたときに、レバー部材４３の先端が綴じ板２１の長手方向両端縁より外側にはみ出る長さに設けられている。
【００２２】
前記ローラ４４は、レバー部材４３を図５（Ａ）に示される位置に倒伏させた際に舌片３４と離間する一方、図５（Ｂ）の位置を経て、図５（Ｃ）に示される略１８０度反転する位置まで倒伏させた際に舌片３４を押圧する位置に設けられている。ローラ４４は、図５（Ｂ）に示されるように、レバー部材４３の回転中心軸Ｃ１とローラ４４の中心軸Ｃ２を結ぶ仮想線Ｄ１と、レバー部材４３の延出方向に沿う仮想線Ｄ２との交差角度αが９０度よりも僅かに大きくなるように設けられている。また、ベース１９及び綴じ板２１を水平姿勢とし、且つ、略平行としたときに、前記仮想線Ｄ１が略垂直となる位置（図５（Ｂ）参照）を中立位置として、この中立位置からレバー部材４３を図中矢印Ｒ１方向に回転すると、ローラ４４が舌片３４から離間して差し込み空間Ｓが形成される。この一方、レバー部材４３を矢印Ｒ２方向に回転して図５（Ｃ）に示される状態とすると、ローラ４４は舌片３４のばね力により上方への力を付与され、つまり、レバー部材４３が同図中矢印Ｒ３方向に回転する方向の力を付与されるので、挟み込み状態を確実に保持することが可能となっている。
【００２３】
以上の構成において、本実施例における綴じ具１７の紙葉類Ｐを挟み込む作業は、図１に示された状態で差し込み空間Ｓに紙葉類Ｐを挿入してから、レバー部材４３を図３に示される位置まで回転させることにより行われる。この際、ローラ４４が突条部４１上を転がりながら舌片３４を押圧するとともに、この舌片３４に連なる板状部材３２が紙葉類Ｐをベース１９に対して押圧する。そして、レバー部材４３を図５（Ｃ）に示される位置まで回転すると、前述したレバー部材４３とローラ４４との相関関係により、紙葉類Ｐがしっかりと挟み込まれることとなる。ここで、舌片３４は、ローラ４４に押圧された際に、紙葉類Ｐ全体の厚さが変化しても常に図４（Ｂ）に示される位置となる。これにより、挟み込まれる紙葉類Ｐの厚さが厚くなるほど舌片３４と板状部材３２との離間幅が狭くなり、つまり、舌片３４の弾性力が強くなって綴じ板２１の挟みつけ力が増大することとなり、紙葉類Ｐの挟み込みが一層安定的に行われることとなる。
【００２４】
また、綴じ具１７による紙葉類Ｐの挟み込みを解除する作業は、前記挟み込み作業を行う場合と反対方向にレバー部材４３を回転させればよい。この際、ローラ４４が前記中立位置を僅かでも越えると、舌片３４のばね力により、ローラ４４が持ち上げられるとともに、レバー部材４３が図５（Ｂ）中矢印Ｒ１方向に回転する力が付与されることとなり、レバー部材４３の回転力が軽減されることとなる。
【００２５】
従って、このような実施例によれば、綴じ板２１は、板状部材３２にばね力を有するように連なる舌片３４を備えて構成されているから、従来例に示されるコイル状のばね部材のような別部材を用いることなく挟み込み力を安定的に保持することができ、且つ、製品全体のコスト低減を図ることが可能となる。また、操作部材２３は、図５（Ｃ）に示される姿勢とされた場合、舌片３４，レバー部材４３及びローラ４４が相互に作用することにより、意図的な外力を付与しない限り操作部材２３の移動が規制されるので、レバー部材４３の回転方向の移動だけで挟み込み作業を確実に行うことができ、且つ、その解除作業を容易に行うことが可能となる。
【００２６】
なお、前記実施例では、ばね部材２２がベース１９に連なるとともに、常時は、綴じ板２１を持ち上げる構成を図示、説明したが、本発明は、これに限られるものでなく、例えば、ベース１９の一端側に綴じ板２１が連なったものとし、常時は、この綴じ板２１の自由端側がベース１９の上面から離れる傾斜姿勢に保たれたものであってもよい。
【００２７】
また、前記綴じ具１７は、開閉可能に設けられた表紙体１５に取り付けられた場合を説明したが、本発明は、これに限定されるものでなく、例えば、硬質紙や樹脂板等により構成される板状部材に当該綴じ具１７を取り付けたいわゆるクリップボード等にも適用できる。
【００２８】
更に、前記実施例における押え部材は、板状の綴じ板２１としたが、これに限定されるものでなく、例えば、軸状やネット状に形成された押え部材であってもよい。要するに、押え部材は、紙葉類Ｐの一定領域をベース１９と協働して挟み込むものであれば足りる。
【００２９】
【発明の効果】
以上説明したように、本発明の操作部材は、中立位置を越えてレバー部材が倒伏したときに、押え部材を押圧して挟み込みを行う一方、中立位置を越えない位置で押え部材とベースとの間に差し込み空間を形成するように設けられているから、レバー部材の回転操作だけで紙葉類の挟み込み及びその解除作業を行うことができ、従来例のように二方向への力を付与することなく容易且つ迅速にこれらの作業を行うなうことが可能となる。
【００３０】
また、ローラは、レバー部材の回転中心軸の直下位置を僅かに通過した位置に保たれるから、押え部材の挟み込み姿勢を維持する場合、押え部材がベースに対して離間する方向に付与される力を利用してレバー部材を挟み込む方向に倒伏する力とすることができ、挟み込み姿勢を確実に保持することが可能となる。
【００３１】
更に、押え部材はローラに当接する舌片を備え、この舌片がベースと押え部材との離間幅を調整可能に設けられているから、舌片が紙葉類の厚さに対応した押圧力を押え部材に付与することが可能となるので、挟み込み姿勢をより一層安定的に保つことができる。
【００３２】
また、押え部材の一部を折り返して舌片を形成した場合には、綴じ具全体の大きさをコンパクトにすることができるばかりでなく、紙葉類に対する挟み込み力を増大させることが可能となる。
【００３３】
更に、舌片に突条部を設けた場合には、ローラの転がり抵抗を少なくしてレバー部材の回転力を軽減することができるばかりでなく、舌片の撓み変形を有効に防止することが可能となる。
【００３４】
また、レバー部材は、倒伏姿勢としたときに、押え部材の端部よりはみ出る長さに設けられているから、レバー部材を容易に掴み上げることができ、且つ、レバー部材の支点と力点との距離を長くして操作性を向上させることが可能となる。
【図面の簡単な説明】
【図１】本実施例に係る綴じ具が適用されたファイルの概略斜視図。
【図２】前記綴じ具の分解斜視図。
【図３】図１の綴じ具が紙葉類を挟み込んだ状態を示す概略斜視図。
【図４】（Ａ）は、図１の綴じ具のＡ−Ａ線矢視拡大断面図、（Ｂ）は、図３の綴じ具のＢ−Ｂ線矢視拡大断面図。
【図５】（Ａ）〜（Ｃ）は、操作部材が舌片を押圧する作業要領を示す説明図。
【図６】従来のファイルの綴じ具を示す概略斜視図。
【符号の説明】
１５  表紙体
１７  綴じ具
１９  ベース
２１  綴じ板（押え部材）
２２  ばね部材
２３  操作部材
３４  舌片
４１  突条部
４３  レバー部材
４４  ローラ
Ｃ１  回転中心軸
Ｐ  紙葉類
Ｓ  差し込み空間
【図１】
0003610856.tif 000002
【図２】
0003610856.tif 000003
【図３】
0003610856.tif 000004
【図４】
0003610856.tif 000005
【図５】
0003610856.tif 000006
【図６】
0003610856.tif 000007